(57)【要約】【課題】通常の視聴状態で視聴者にスピーカの開口領域が視認にくくて臨場感や演出効果を向上させた平面型ディスプレイを備えた映像音声出力装置を提供する。【解決手段】開示される映像音声出力装置１は、コンテンツを表示可能な表示部２と、低音域の音響を放射する低音域用スピーカ１２と、中高音域の音響を放射する中高音域用スピーカ１１とを備えている。この映像音声出力装置１では、低音域用スピーカ１２は、表示部２に表示されたコンテンツとともには視認し難い領域に設けられ、中高音域用スピーカ１１は、表示部２に表示されたコンテンツとともに視認可能な領域に設けられている。【選択図】図２
2010004195.tif 000002
【特許請求の範囲】
【請求項１】
コンテンツを表示可能な表示部と、低音域の音響を放射する第１のスピーカと、中音域の音響又は高音域の音響のいずれか一方又は両方を放射する第２のスピーカとを備えた映像音声出力装置であって、
前記第１のスピーカは、前記表示部に表示された前記コンテンツとともには視認し難い領域に設けられ、
前記第２のスピーカは、前記表示部に表示された前記コンテンツとともに視認可能な領域に設けられている
ことを特徴とする映像音声出力装置。
【請求項２】
前記表示部と、前記第１及び第２のスピーカとは、同一又は別個の並設された筐体に収容され、
前記筐体の前記第１のスピーカが収容された部分と視聴者との間には、前記第１のスピーカを前記視聴者が視認し難くするための遮蔽部材が設けられている
ことを特徴とする請求項１に記載の映像音声出力装置。
【請求項３】
前記遮蔽部材の前記第１のスピーカに対向した部分には、前記第１のスピーカから放射された前記低音域の音響を反射する反射部材が設けられている
ことを特徴とする請求項１又は２に記載の映像音声出力装置。
【請求項４】
前記視認し難い領域には、前記表示部に表示される前記コンテンツとは異なるコンテンツ又は情報が表示される副表示部が設けられていることを特徴とする請求項１乃至３のいずれかに記載の映像音声出力装置。
【発明の詳細な説明】
【技術分野】
【０００１】
本発明は、映像と音声が出力可能なテレビジョン受信機やスピーカ一体型表示装置等の映像音声出力装置に関する。
【背景技術】
【０００２】
従来の映像音声出力装置には、平面型ディスプレイを備えた表示部と、１つの低音域用スピーカと、２つの中高音域用スピーカとを有しているものがある。この映像音声表示装置の上記３つのスピーカを内蔵する筐体には、各スピーカの口径と略対応する第１の領域に複数の貫通孔が形成されているとともに、各第１の領域の周囲の第２の領域に複数の非貫通孔がそれぞれ形成されている。そして、第２の領域の外周形状及び寸法が、低音域用スピーカと中高音域用スピーカとで異なっている（例えば、特許文献１参照。）。以下、この技術を第１の従来例と呼ぶ。
【０００３】
また、従来の映像音声出力装置には、キャビネットの中央開口から表示画面が露出する平面型ディスプレイを備えた表示部と、上記キャビネットを形成した前面フレームと、この前面フレームの下部に位置するフレーム形成部分と、このフレーム形成部分の裏側に起立して形成された支持部と、この支持部に取り付けられたスピーカ装置とを有しているものがある。この映像音声出力装置は、さらに、上記フレーム形成部分に、横方向に矩形状の放音部と、この放音部のホーン形状を得るためにホーン形状となる第１、第２の壁と、下側の第２の壁の前面側に連続し、下側に向かうに従って湾曲しながら後退して傾斜している第３の壁とを有している（例えば、特許文献２参照。）。以下、この技術を第２の従来例と呼ぶ。
【０００４】
また、従来の映像音声出力装置には、装置の画面上側に第１のセンター用スピーカを配置し、画面下側に第２のセンター用スピーカを配置したものがある。この映像音声出力装置では、上記第１及び第２のセンター用スピーカを低音再生部と高音再生部に分離するとともに、上記低音再生部を装置上部及び下部の凹部を利用して構成し、上記高音再生部を装置に内蔵している（例えば、特許文献３参照。）。以下、この技術を第３の従来例と呼ぶ。
【０００５】
【特許文献１】特開２００６−３２５２４２号公報（請求項１，［００１２］，［００１７］〜［００３９］，要約、図９〜図１１）
【特許文献２】特開２００６−３４５２９１号公報（請求項１０，［００１１］，［００１３］〜［００４１］，要約、図７）
【特許文献３】特開平６−１６５０８４号公報（請求項１，［００１２］，［００１６］〜［００２４］，要約、図１）
【発明の開示】
【発明が解決しようとする課題】
【０００６】
ところで、映像音声出力装置は、臨場感や演出効果等の点からは、通常の視聴状態では視聴者にスピーカの開口領域が簡単に視認できず、どこから音響が放射されているか認識し難い方がある種の驚きがあり、好ましいと思われる。ところが、上記した第１の従来例では、すべての帯域のスピーカの開口領域が視聴者に視認可能に構成されており、視聴者は音響が放射される位置を簡単に認識できるため、十分な臨場感が得られず、また演出効果も十分ではないという問題があった。この点、上記した第２の従来例では、スピーカ取付領域を映像音声出力装置の前面からみて小さく見せる工夫をしている。しかし、スピーカ取付領域が視聴者に視認可能であることには変わりはない。
【０００７】
一方、上記した第３の従来例では、上記低音再生部、すなわち、低音域のスピーカを装置上部及び下部の凹部に設けている。しかし、低音域のスピーカは一般に開口領域が広いため、映像音声出力装置の上部及び下部に設けた場合、映像音声出力装置全体の奥行きが大きくなってしまう。これでは、表示部に液晶パネル等の平面型ディスプレイを用いて映像音声出力装置全体の奥行きを小さくするという最近の傾向にマッチしないという問題がある。
【０００８】
本発明は、上述した事情に鑑みてなされたものであり、上述のような問題を解決することを課題の一例とするものであり、これらの課題を解決することができる映像音声出力装を提供することを目的とする。
【課題を解決するための手段】
【０００９】
上記課題を解決するために、請求項１記載の発明に係る映像音声出力装置は、コンテンツを表示可能な表示部と、低音域の音響を放射する第１のスピーカと、中音域の音響又は高音域の音響のいずれか一方又は両方を放射する第２のスピーカとを備えた映像音声出力装置であって、前記第１のスピーカは、前記表示部に表示された前記コンテンツとともには視認し難い領域に設けられ、前記第２のスピーカは、前記表示部に表示された前記コンテンツとともに視認可能な領域に設けられていることを特徴としている。
【発明を実施するための最良の形態】
【００１０】
以下、図面を参照して本発明を実施するための最良の形態について説明する。
実施の形態１．
図１は、本発明の実施の形態１に係る映像音声出力装置１の外観構成を示す概略図であり、（ａ）は平面図、（ｂ）は正面図、（ｃ）は右側面図である。また、図２（ａ）は図１（ａ）の透視平面図、図２（ｂ）は図１（ｂ）の透視正面図、図２（ｃ）は図１（ｃ）の透視右側面図である。
【００１１】
本実施の形態１に係る映像音声出力装置１は、表示部２、左チャンネルスピーカ部３及び右チャンネルスピーカ部４が筐体５内に収容されて概略構成されている。表示部２は、例えば、液晶パネル、プラズマディスプレイパネル、エレクトロルミネセンス（ＥＬ：electroluminescence）パネル又は、電界電子放射型ディスプレイ（ＦＥＤ：Field Emission Display）等の平面型ディスプレイを有している。表示部２の前面には、ガラス板６が取り付けられている。ガラス板６は、例えば、黒色等に着色されたてそれ自体不透明であったり、不透明なフィルムが貼付されることにより不透明とされている。ガラス板６の幅は、筐体５の幅と比較して、左右端において、ほぼ後述する中高音域用スピーカ１１の直径分ずつ狭く形成されている。
【００１２】
筐体５の材料としては、例えば、ポリプロピレンなどのオレフィン系、ＡＢＳ（アクリロニトリル・ブダジエン・スチレン）、ポリエチレンテレフタレート系などの熱可塑性樹脂に、補強用フィラーとしてガラス繊維又はフィブリル化したサーモトロピック液晶ポリエステル樹脂を添加してなるものなどがある。
【００１３】
筐体５は、略直方体形状を呈している。筐体５の略中央には、主収容部５ａが形成され、表示部２が収容されている。主収容部５ａの左右には、副収容部５ｂ及び５ｃが主収容部５ａと一体的に形成されている。副収容部５ｂには左チャンネルスピーカ部３が収容され、副収容部５ｃには右チャンネルスピーカ部４が収容されている。
【００１４】
左チャンネルスピーカ部３及び右チャンネルスピーカ部４は、いずれも、２個の中高音域用スピーカ１１と、１個の低音域用スピーカ１２とから構成されている。中高音域用スピーカ１１は、例えば、最低共振周波数ｆ０が約１．５ｋＨｚ、再生周波数帯域が約１．５ｋＨｚ〜２０ｋＨｚであるとする。一方、低音域用スピーカ１２は、例えば、最低共振周波数ｆ０が約２９Ｈｚ、再生周波数帯域が約２９Ｈｚ〜５ｋＨｚであるとする。そして、左チャンネルスピーカ部３及び右チャンネルスピーカ部４は、それぞれクロスオーバー周波数が約３ｋＨｚであるとする。
【００１５】
左チャンネルスピーカ部３を構成する２個の中高音域用スピーカ１１は、筐体５の副収容部５ｂの左端近傍であって、上端近傍及び中央略上端寄りにそれぞれ取り付けられている。これら２個の中高音域用スピーカ１１の前方（視聴者側）には、ガラス板６は延設されていない。このため、視聴者は、映像音声出力装置１を作動させてコンテンツを視聴する際には、これら２個の中高音域用スピーカ１１を視認することができるとともに、これら２個の中高音域用スピーカ１１からは、図１（ｃ）に矢印で示すように、中高音の音響音響ＡＭＨが放射されていることを認識することができる。すなわち、これら２個の中高音域用スピーカ１１は、コンテンツ視聴の際に視聴者が当該コンテンツとともに視認可能な筐体５の領域に取り付けられているといえるので、上記領域を視認可能領域Ｖと呼ぶことにする。
【００１６】
これに対し、左チャンネルスピーカ部３を構成する低音域用スピーカ１２は、筐体５の副収容部５ｂの主収容部５ａとの境界近傍であって、下端近傍に取り付けられている。低音域用スピーカ１２の前方（視聴者側）には、ガラス板６が延設されている。このため、視聴者は、映像音声出力装置１を作動させてコンテンツを視聴する際には、低音域用スピーカ１２を視認することができないとともに、低音域用スピーカ１２から低音の音響が放射されていることを容易には認識することができない。すなわち、低音域用スピーカ１２は、コンテンツ視聴の際に視聴者が当該コンテンツとともには視認し難い筐体５の領域に取り付けられているといえるので、上記領域を視認困難領域ＩＶと呼ぶことにする。なお、低音域用スピーカ１２から放射された低音の音響ＡＬは、前方に設けられているガラス板６等により反射された後、図１（ｃ）に矢印で示すように、映像音声出力装置１の下端や側面など、正面以外から放射される。したがって、低音域用スピーカ１２前方に設けられているガラス板６の部分は、遮蔽部材と呼ぶことができる。
【００１７】
同様に、右チャンネルスピーカ部４を構成する２個の中高音域用スピーカ１１は、筐体５の副収容部５ｃの右端近傍であって、上端近傍及び中央略上端寄りにそれぞれ取り付けられている。これら２個の中高音域用スピーカ１１の前方（視聴者側）には、ガラス板６は延設されていない。すなわち、これら２個の中高音域用スピーカ１１は、視認可能領域Ｖに取り付けられている。
【００１８】
これに対し、右チャンネルスピーカ部４を構成する低音域用スピーカ１２は、筐体５の副収容部５ｃの主収容部５ａとの境界近傍であって、下端近傍に取り付けられている。低音域用スピーカ１２の前方（視聴者側）には、ガラス板６が延設されている。すなわち、低音域用スピーカ１２は、視認困難領域ＩＶに取り付けられている。
【００１９】
左チャンネルスピーカ部３及び右チャンネルスピーカ部４を上記したように構成したのは、以下に示す理由による。音は、低音になればなるほど指向性が弱くなり、四方に広がりやすくなる。そこで、中高音域用スピーカ１１を視認可能領域Ｖに取り付けるとともに、低音域用スピーカ１２を視認困難領域ＩＶに取り付けているのである。これにより、スピーカの視聴者によって視認されるサイズを極力抑えることができる。
【００２０】
このように、本発明の実施の形態１によれば、低音域用スピーカ１２が筐体５の視認困難領域ＩＶに取り付けられているので、視聴者は、低音域用スピーカ１２については容易には視認することができないため、低音の音響ＡＬが放射されているか認識し難く、ある種の驚きがあり、十分な臨場感が得られるとともに、また演出効果も十分ある。
【００２１】
また、本発明の実施の形態１によれば、低音域用スピーカ１２が略直方体形状を呈した筐体５に表示部２及び中高音域用スピーカ１１とともに収容されている。したがって、表示部２に液晶パネル等の平面型ディスプレイを用いることができ、映像音声出力装置１全体の奥行きを小さくすることができる。
【００２２】
実施の形態２．
図３は、本発明の実施の形態２に係る映像音声出力装置２１の要部の構成を示す透視平面図である。図４は、図３に示す映像音声出力装置２１の要部の構成を示す透視正面図である。図３及び図４において、図１及び図２の各部に対応する部分には同一の符号を付け、その説明を省略する。
【００２３】
図３及び図４に示す映像音声出力装置２１においては、ガラス基板６の低音域用スピーカ１２に対向した箇所に、反射部材２２が取り付けられている。反射部材２２は、例えば、金属からなり、平面形状が略直角三角形状を呈している。反射部材２２の傾斜角は特に限定しないが、略４５度程度が好ましい。このような構成によれば、低音域用スピーカ１２から放射された低音の音響ＡＬは、前方に設けられている反射部材２２により反射された後、映像音声出力装置１の側面の他、下端など、正面以外から放射される。
【００２４】
このように、本発明の実施の形態２によれば、低音域用スピーカ１２が筐体５の視認困難領域ＩＶに取り付けられているとともに、前方のガラス基板６の低音域用スピーカ１２に対向した箇所に、反射部材２２が取り付けられている。したがって、視聴者は、低音域用スピーカ１２については容易には視認することができないとともに、上述した実施の形態１と比較して、十分に反射部材２２により反射されて、映像音声出力装置１の正面以外から放射されるため、低音の音響ＡＬが放射されているかより一層認識し難く、ある種の驚きがあり、十分な臨場感が得られるとともに、また演出効果も十分ある。
【００２５】
また、本発明の実施の形態２によれば、低音域用スピーカ１２が略直方体形状を呈した筐体５に表示部２及び中高音域用スピーカ１１とともに収容されている。したがって、表示部２に液晶パネル等の平面型ディスプレイを用いることができ、映像音声出力装置２１全体の奥行きを小さくすることができる。
【００２６】
実施の形態３．
図５は、本発明の実施の形態３に係る映像音声出力装置３１の要部の構成を示す正面図である。また、図６は、図５に示す映像音声出力装置３１の外観構成を示す拡大斜視図である。図５及び図６において、図１及び図２の各部に対応する部分には同一の符号を付け、その説明を省略する。
【００２７】
図５及び図６に示す映像音声出力装置３１においては、ガラス板６の視認困難領域ＩＶの背面側であって、表示部２の右側に、サブディスプレイ（副表示部）３２が取り付けられている。このサブディスプレイ３２は、例えば、フィルム状を呈する超薄型の有機ＥＬディスプレイ等からなる。
【００２８】
このサブディスプレイ３２には、例えば、表示部２に映画番組が表示されている場合、当該映画のサウンドトラックミュージックの曲名や出演俳優等のコンテンツ情報を表示することが考えられる。このように構成すれば、より一層当該映画番組を楽しむことができる。また、サブディスプレイ３２には、例えば、通常、表示部２のディスプレイに重畳表示されるチャンネル番号や時刻あるいはボリュームを表示することも考えられる。このように構成すれば、表示部２のディスプレイに表示される本来の映像の視聴を妨げられることなく、チャンネルや時刻あるいはボリュームを知ることができる。
【００２９】
さらに、この映像音声出力装置３１がインターネットに接続可能に構成されている場合には、表示部２に映像が表示されているか否かに関わらず、電子メールが受信された際に、サブディスプレイ３２に電子メールを受信した旨又は電子メールの本文を表示するように構成しても良い。このように構成すれば、視聴者は電子メールの受信をいち早く知ることができる。なお、サブディスプレイ３２を取り付ける箇所は、ガラス板６の視認困難領域ＩＶの背面側であれば、表示部２の左右どちら側でも良く、低音域用スピーカ１２と対向する箇所以外であれば上下どこでも良い。
【００３０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態２では、反射部材２２により低音の音響ＡＬを主に映像音声出力装置２１の側面側に放射する例を示したが、これに限定されない。低音の音響ＡＬは、床を介して伝達される性質があるので、図３に示す反射部材２２の厚みのある部分が上端となるように９０度回転させて取り付けても良い。
【００３１】
また、上述の各実施の形態では、左チャンネルスピーカ部３及び右チャンネルスピーカ部４は、いずれも、２個の中高音域用スピーカ１１と１個の低音域用スピーカ１２で構成されている例を示したが、これに限定されず、１個の高音域用スピーカと、１個の中音域用スピーカと、１個の低音域用スピーカ１２で構成しても良い。
また、上述の各実施の形態では、表示部２、左チャンネルスピーカ部３及び右チャンネルスピーカ部４は、いずれも１個の筐体５に収容されている例を示したが、これに限定されず、表示部２、左チャンネルスピーカ部３又は右チャンネルスピーカ部４は、それぞれ別個の並設された筐体に収容されていても良い。
【００３２】
また、上述の各実施の形態では、ステレオの音響を再生することを前提としているため、左チャンネルスピーカ部３及び右チャンネルスピーカ部４を設ける例を示したが、これに限定されず、モノラルの音響だけを再生する場合には、映像音声出力装置全体で、１個又は２個の中高音域用スピーカ１１及び１個の低音域用スピーカ１２を設けても良い。
また、上述の各実施の形態は、その目的及び構成等に特に矛盾や問題がない限り、互いの技術を流用することができる。
【図面の簡単な説明】
【００３３】
【図１】本発明の実施の形態１に係る映像音声出力装置の外観構成を示す概略図であり、（ａ）は平面図、（ｂ）は正面図、（ｃ）は右側面図である。
【図２】図１に示す映像音声出力装置の構成を示す概略図であり、（ａ）は図１（ａ）の透視平面図、（ｂ）は図１（ｂ）の透視正面図、（ｃ）は図１（ｃ）の透視右側面図である。
【図３】本発明の実施の形態２に係る映像音声出力装置の要部の構成を示す透視平面図である。
【図４】図３に示す映像音声出力装置の要部の構成を示す透視正面図である。
【図５】本発明の実施の形態３に係る映像音声出力装置の要部の構成を示す透視正面図である。
【図６】図５に示す映像音声出力装置の外観構成を示す拡大斜視図である。
【符号の説明】
【００３４】
１，２１，３１…映像音声出力装置、２…表示部、３…左チャンネルスピーカ部、４…右チャンネルスピーカ部、５…筐体、５ａ…主収容部、５ｂ，５ｃ…副収容部、６…ガラス板、１１…中高音域用スピーカ、１２…低音域用スピーカ、２２…反射部材、３２…サブディスプレイ（副表示部）、ＡＬ…低音の音響、ＡＭＬ…中高音の音響、ＩＶ…視認困難領域、Ｖ…視認可能領域
【図１】
2010004195.tif 000003
【図２】
2010004195.tif 000004
【図３】
2010004195.tif 000005
【図４】
2010004195.tif 000006
【図５】
2010004195.tif 000007
【図６】
2010004195.tif 000008